(57)【要約】      （修正有）【課題】意匠性を向上させた排水栓に接続される鎖部材の接続構造を提供する。【解決手段】洗面ボウル３１のオーバーフロー孔４２において洗面ボウル３１とオーバーフロー管６とを接続する接続部材６０と、接続部材６０に固定される固定部材１０と、洗面ボウル３１の排水口４１を塞ぐ排水栓９に接続される鎖部材１５とを備える、排水栓９に接続される鎖部材１５の接続構造であって、固定部材１０は、オーバーフロー孔４２の内部において、接続部材６０に固定され、鎖部材１５は、固定部材１０に接続される。【選択図】図４
2016097082.tif 000002
【特許請求の範囲】
【請求項１】
洗面ボウルのオーバーフロー孔において前記洗面ボウルとオーバーフロー管とを接続する接続部材と、前記接続部材に固定される固定部材と、前記洗面ボウルの排水口を塞ぐ排水栓に接続される鎖部材と、を備える、排水栓に接続される鎖部材の接続構造であって、
前記固定部材は、前記オーバーフロー孔の内部において、前記接続部材に固定され、
前記鎖部材は、前記固定部材に接続される、排水栓に接続される鎖部材の接続構造。
【請求項２】
前記接続部材は、前記洗面ボウルの内面側に位置するフランジ部と、前記洗面ボウルの外面側において前記オーバーフロー管に接続されると共に前記固定部材が固定される筒状部と、を有し、
前記鎖部材と前記固定部材との接続部分は、前記オーバーフロー管の内部に位置する請求項１に記載の排水栓に接続される鎖部材の接続構造。
【請求項３】
前記固定部材は、前記オーバーフロー孔に侵入する異物を捕捉する機能を有する請求項１又は２に記載の排水栓に接続される鎖部材の接続構造。
【請求項４】
前記接続部材と前記固定部材とが一体に成形されている請求項１〜３のいずれかに記載の排水栓に接続される鎖部材の接続構造。
【請求項５】
請求項１〜４のいずれかに記載の排水栓に接続される鎖部材の接続構造を備える洗面器。
【発明の詳細な説明】
【技術分野】
【０００１】
本発明は、排水栓に接続される鎖部材の接続構造に関する。
【背景技術】
【０００２】
従来、オーバーフロー孔を有する浴槽において、オーバーフロー孔において浴槽と接続されるオーバーフロー管と、オーバーフロー孔を覆うと共に鎖部材の一端部が接続されたカバー部材と、鎖部材の他端部に接続された排水栓を引っ掛けるフック部材と、を備える浴槽が知られている（例えば、特許文献１参照）。特許文献１に記載の浴槽においては、カバー部材及びフック部材は、オーバーフロー管における浴槽に取り付けられる部分に設けられている。
【先行技術文献】
【特許文献】
【０００３】
【特許文献１】実開平１−１０５５７８号公報
【発明の概要】
【発明が解決しようとする課題】
【０００４】
特許文献１に記載の構成においては、オーバーフロー管が浴槽に取り付けられる部分において、鎖部材の一端部がカバー部材に接続されるため、鎖部材の一端部の接続部分が浴槽の内面側から視認されるようになっている。そのため、意匠性が損なわれる可能性がある。
【０００５】
本発明は、意匠性を向上させることができる、排水栓に接続される鎖部材の接続構造を提供することを目的とする。
【課題を解決するための手段】
【０００６】
本発明は、洗面ボウルのオーバーフロー孔において前記洗面ボウルとオーバーフロー管とを接続する接続部材と、前記接続部材に固定される固定部材と、前記洗面ボウルの排水口を塞ぐ排水栓に接続される鎖部材と、を備える、排水栓に接続される鎖部材の接続構造であって、前記固定部材は、前記オーバーフロー孔の内部において、前記接続部材に固定され、前記鎖部材は、前記固定部材に接続される、排水栓に接続される鎖部材の接続構造に関する。
【０００７】
また、前記接続部材は、前記洗面ボウルの内面側に位置するフランジ部と、前記洗面ボウルの外面側において前記オーバーフロー管に接続されると共に前記固定部材が固定される筒状部と、を有し、前記鎖部材と前記固定部材との接続部分は、前記オーバーフロー管の内部に位置することが好ましい。
【０００８】
また、前記固定部材は、前記オーバーフロー孔に侵入する異物を捕捉する機能を有することが好ましい。
【０００９】
また、前記接続部材と前記固定部材とが一体に成形されていることが好ましい。
【００１０】
また、本発明は、前記排水栓に接続される鎖部材の接続構造を備える洗面器に関する。
【発明の効果】
【００１１】
本発明によれば、意匠性を向上させることができる、排水栓に接続される鎖部材の接続構造を提供することができる。
【図面の簡単な説明】
【００１２】
【図１】本発明の第１実施形態に係る洗面化粧台１の全体構成を示す斜視図である。
【図２】本発明の第１実施形態に係る洗面化粧台１を上側から視た図である。
【図３】本発明の第１実施形態に係る洗面化粧台１の洗面器３の構成を示す斜視図である。
【図４】本発明の第１実施形態に係る洗面化粧台１の排水管５及びオーバーフロー管６の構成を示す断面図である。
【図５】第１実施形態の玉鎖固定部材１０の構成を説明する斜視図である。
【図６】第１実施形態の玉鎖固定部材１０の構成を説明する分解斜視図である。
【図７】第１実施形態の玉鎖固定部材１０の構成を説明する断面図である。
【図８】第２実施形態の玉鎖固定部材１０Ａの構成を説明する斜視図である。
【図９】第２実施形態の玉鎖固定部材１０Ａの構成を説明する分解斜視図である。
【図１０】第２実施形態の玉鎖固定部材１０Ａの構成を説明する断面図である。
【発明を実施するための形態】
【００１３】
以下、本発明の洗面化粧台の好ましい第１実施形態について、図面を参照しながら説明する。図１は、本発明の第１実施形態に係る洗面化粧台１の全体構成を示す斜視図である。図２は、本発明の第１実施形態に係る洗面化粧台１を上側から視た図である。図３は、本発明の第１実施形態に係る洗面化粧台１の洗面器３の構成を示す斜視図である。図４は、本発明の第１実施形態に係る洗面化粧台１の排水管５及びオーバーフロー管６の構成を示す断面図である。
【００１４】
まず、本実施形態の洗面化粧台１の全体構成について説明する。
図１〜図４に示すように、本実施形態の洗面化粧台１は、下部キャビネット２と、洗面器３と、ミラーキャビネット１１と、を備える。
【００１５】
下部キャビネット２は、図１に示すように、洗面化粧台１の下部を構成し、前面に開閉扉を有した箱状に形成される。下部キャビネット２の内部には、小物等を収納する収納空間が形成される。収納空間の奥側には、洗面器３の排水口４１（後述）に接続された排水管５が配置される。
【００１６】
洗面器３は、図１及び図２に示すように、下部キャビネット２の上部に配置される。洗面器３は、凹状に形成されるボウル部（洗面ボウル）３１と、ボウル前面カバー部３２と、洗面器３の奥側に配置される第１上面部３３と、幅方向の一端側に配置される第２上面部３４と、排水管５と、オーバーフロー管６と、接続部材としてのフランジ管６０と、水栓部７と、を有する。
【００１７】
ボウル部３１は、平面視において、略矩形形状と、略矩形形状の一端（洗面化粧台１に対面した場合の右端）から奥側に延びる形状と、が連続した形状に形成される。ボウル部３１は、平面視において、第１上面部３３と第２上面部３４と外枠とに挟まれる部分である。
【００１８】
ボウル部３１は、後述する水栓部７から吐出された水を受ける。ボウル部３１は、図３に示すように、排水口４１と、オーバーフロー孔４２と、吐水管固定用穴４３と、操作部固定用穴４４と、を有する。吐水管固定用穴４３及び操作部固定用穴４４は、第１上面部３３に設けられる。
【００１９】
排水口４１は、図３及び図４に示すように、ボウル部３１における略矩形形状の一端（洗面化粧台１に対面した場合の右端）から奥側に延びる部分の底部に設けられる。排水口４１は、ボウル部３１の底部を上下方向に貫通する。ボウル部３１の底部は、平面状に形成され、排水口４１側に向けて傾斜している。排水口４１は、水栓部７から吐出されてボウル部３１により一旦受け止められた水を、排水管５を介して、外部に排水する。排水管５は、排水口４１の下部に接続され、排水口４１から下方に向けて延びている。
【００２０】
排水口４１の内部には、図４に示すように、ヘアキャッチャー８が着脱自在に設置されている。排水口４１には、図２及び図４に示すように、ヘアキャッチャー８の上方に、排水口４１を開閉可能な排水栓９が配置される。
【００２１】
排水栓９は、排水口４１を塞ぐ機能を有する。排水栓９は、排水口４１に対して着脱可能に構成される。排水栓９の上部には、玉鎖部材（鎖部材）１５の一端が接続されている。玉鎖部材１５は、排水栓９の上部と後述する玉鎖固定部材（固定部材）１０とを接続する。
【００２２】
オーバーフロー孔４２は、図３に示すように、ボウル部３１における略矩形形状の一端（洗面化粧台１に対面した場合の右端）から奥側に延びる部分の第２上面部３４側の側面に設けられる。オーバーフロー孔４２は、ボウル部３１の側面を幅方向に貫通する。オーバーフロー孔４２は、ボウル部３１の底部から所定の高さの位置に設けられている。オーバーフロー孔４２は、排水口４１が排水栓９により閉じられた状態で、洗面器３に水が溜まって、オーバーフロー孔４２の位置まで水位が上昇した場合に、後述するオーバーフロー管６を介して、水を外部に排出する。これにより、水がボウル部３１から溢れることを抑制する。
【００２３】
フランジ管６０は、オーバーフロー孔４２において、洗面器３のボウル部３１とオーバーフロー管６の一端部とを接続する。フランジ管６０は、フランジ部６１と、筒状部６２と、を有する。
【００２４】
フランジ部６１は、フランジ管６０の一端部に形成される。フランジ部６１は、オーバーフロー孔４２において、洗面器３のボウル部３１の内面側に位置しており、ボウル部３１の内面に当接する。
【００２５】
筒状部６２は、フランジ部６１に連続して形成される。筒状部６２は、円筒状に形成される。筒状部６２は、洗面器３のボウル部３１の外面側において、オーバーフロー管６の上部Ｌ字管６３（後述）の一端部に接続される。筒状部６２の内部には、洗面器３のボウル部３１の外面側において、玉鎖固定部材１０（後述）が固定される。筒状部６２の外面には、フランジ管ネジ部６２１が形成される。筒状部６２のフランジ管ネジ部６２１は、上部Ｌ字管６３の一端部の内面に形成される上部Ｌ字管ネジ部６３ａに螺合している。
【００２６】
フランジ管６０の筒状部６２の内部には、玉鎖固定部材１０が嵌め込まれて固定されている。玉鎖固定部材１０には、玉鎖部材１５の他端部が接続されている。つまり、玉鎖部材１５の他端部は、フランジ管６０の筒状部６２の内部において、玉鎖固定部材１０に接続される。玉鎖固定部材１０は、オーバーフロー孔４２の内部において、フランジ管６０に固定される。
【００２７】
玉鎖固定部材１０は、フランジ管６０の一部を塞いでおり、オーバーフロー孔４２に侵入する異物を捕捉する機能を有する。本実施形態においては、フランジ管６０と玉鎖固定部材１０とは、別体である。
【００２８】
オーバーフロー管６は、フランジ管６０と排水管５とを接続する。オーバーフロー管６は、上部Ｌ字管６３と、上下管６４と、下部Ｌ字管６５と、を備える。本実施形態においては、上部Ｌ字管６３と、上下管６４と、下部Ｌ字管６５とは、別体である。
【００２９】
上部Ｌ字管６３は、全体として、略Ｌ字状に形成される。上部Ｌ字管６３の一端部は、フランジ管６０の筒状部６２に接続される。
上部Ｌ字管６３は、フランジ管６０の他端部からボウル部３１に対して離れる方向に所定長さ略水平方向に延び、下方に屈曲して、下方に所定長さ延びる。上部Ｌ字管６３の他端部は、上下管６４の上端部に接続される。
【００３０】
上下管６４は、上下方向に延びて形成される。上下管６４の上端部は、上部Ｌ字管６３の他端部に外挿される。上下管６４の下端部は、下部Ｌ字管６５の一端部に外挿される。
【００３１】
下部Ｌ字管６５は、全体として、略Ｌ字状に形成される。下部Ｌ字管６５の一端部は、上下管６４の下端部に接続される。下部Ｌ字管６５は、上下管６４の下端部から下方に所定長さ延び、洗面器３のボウル部３１に近づく方向に屈曲して、その曲がり部分から洗面器３のボウル部３１の側に所定長さ水平方向に延びる。
下部Ｌ字管６５の曲がり部分において、下部Ｌ字管６５における洗面器３のボウル部３１側の内面から突出する壁部６７が形成される。
【００３２】
下部Ｌ字管６５の他端部には、接続筒部６６が取り付けられている。接続筒部６６の先端側の内面には、筒部ネジ部６６ａが形成されている。筒部ネジ部６６ａは、接続管５１の一端部に形成される接続管ネジ部５１ａに螺合している。これにより、下部Ｌ字管６５の他端部は、接続管５１の一端部に接続される。
【００３３】
接続管５１は、下部Ｌ字管６５と排水管５とを接続する。接続管５１の他端部は、排水管５の側面に接続されている。これにより、下部Ｌ字管６５は、接続管５１を介して、排水管５に接続されている。本実施形態においては、接続管５１と排水管５とは、一体に成形されている。
【００３４】
水栓部７は、図１に示すように、吐水管７１と、操作部７２と、を有する。吐水管７１は、吐水管固定用穴４３（図３参照）を介して、洗面器３の第１上面部３３に取り付けられる。操作部７２は、操作部固定用穴４４（図３参照）を介して、洗面器３の第１上面部３３に取り付けられる。水栓部７においては、操作部７２を操作することにより、吐水管７１から水が吐出される。
【００３５】
ミラーキャビネット１１は、上下方向に延びる板状に形成される。ミラーキャビネット１１は、洗面器３の後端部から上方に延びる。ミラーキャビネット１１は、化粧鏡１２と、複数の収納トレイ１３と、照明部１４と、を有する。
【００３６】
化粧鏡１２は、ミラーキャビネット１１の幅方向の略中央において、洗面器３の上方側に取り付けられている。化粧鏡１２は、平面状に形成される。化粧鏡１２は、下端部が手前側になるように傾斜するように配置される。
【００３７】
照明部１４は、化粧鏡１２の上方に配置される。照明部１４は、１灯配置される。照明部１４は、電球部１４ａと、電球部１４ａをカバーするカバー部材１４ｂと、を有する。カバー部材１４ｂは、電球部１４ａからの光を透過して、カバー部材１４ｂの前面を介して、前方を照明すると共に、カバー部材１４ｂの下面を介して、下方を照明する。そのため、照明部１４は、前方に向けて光を照射する前方照射部としての機能を有し、かつ、その下面に設けられると共に下方に向けて光を照射する下方照射部としての機能を有する。つまり、照明部１４は、下方照射部により下方に向けて光を照射することで、下方にも照明する。カバー部材１４ｂは、半透明の樹脂材料により形成される。
【００３８】
複数の収納トレイ１３は、化粧鏡１２の下方や化粧鏡１２の両側に、配置されている。
【００３９】
次に、本発明の特徴部分である排水栓に接続される鎖部材の接続構造の詳細について、図面を参照しながら説明する。図５は、第１実施形態の玉鎖固定部材１０の構成を説明する斜視図である。図６は、第１実施形態の玉鎖固定部材１０の構成を説明する分解斜視図である。図７は、第１実施形態の玉鎖固定部材１０の構成を説明する断面図である。
【００４０】
第１実施形態に係る洗面器３は、排水栓９に接続される鎖部材１５の接続構造を備える。第１実施形態に係る排水栓９に接続される鎖部材１５の接続構造は、図４〜図７に示すように、フランジ管６０と、玉鎖固定部材１０と、を備える。本実施形態に係る排水栓９に接続される鎖部材１５の接続構造においては、フランジ管６０と、玉鎖固定部材１０とは、別体に形成される。
【００４１】
フランジ管６０は、前述の通り、オーバーフロー孔４２において、洗面器３のボウル部３１とオーバーフロー管６の一端部とを接続する。フランジ管６０は、フランジ部６１と、筒状部６２と、を有する。
【００４２】
フランジ部６１は、フランジ管６０の一端部に形成される。フランジ部６１は、オーバーフロー孔４２において、洗面器３のボウル部３１の内面側に位置しており、ボウル部３１の内面に当接する。
【００４３】
筒状部６２は、円筒状に形成される。筒状部６２は、洗面器３のボウル部３１の外面側において、オーバーフロー管６の上部Ｌ字管６３（後述）の一端部に接続される。筒状部６２の内部には、洗面器３のボウル部３１の外面側において、玉鎖固定部材１０が固定される。筒状部６２の外面には、フランジ管ネジ部６２１が形成される。筒状部６２のフランジ管ネジ部６２１は、上部Ｌ字管６３の一端部の内面に形成される上部Ｌ字管ネジ部６３ａに螺合している。
【００４４】
玉鎖固定部材１０は、図５〜図７に示すように、オーバーフロー孔４２の内部において、フランジ管６０の内部に固定される。
玉鎖固定部材１０は、筒状の中心固定筒１１０と、２つの放射状部材１２０と、玉鎖固定ピン１３０と、を有する。本実施形態においては、中心固定筒１１０と２つの放射状部材１２０とは、一体に成形される。
【００４５】
中心固定筒１１０は、一端側が閉じられた筒状に形成される。中心固定筒１１０は、フランジ管６０の軸上に延びている。中心固定筒１１０の内部には、玉鎖部材１５の他端部（玉鎖部材１５における排水栓９が接続される一端部と反対側の端部）が挿入される。中心固定筒１１０の側部には、玉鎖固定ピン１３０が挿入されるピン挿入孔１１１が形成される。
【００４６】
玉鎖固定ピン１３０は、Ｕ字状に形成される。玉鎖固定ピン１３０は、中心固定筒１１０に挿入された玉鎖部材１５を固定する。玉鎖部材１５の他端部が中心固定筒１１０に挿入された状態で、玉鎖固定ピン１３０をピン挿入孔１１１に挿入することで、玉鎖部材１５の玉と玉とをつなぐ細管部材をＵ字状の内側に配置させて、玉鎖部材１５を中心固定筒１１０に固定する。
【００４７】
２つの放射状部材１２０は、中心固定筒１１０の外面から放射状に突出する。放射状部材１２０は、放射板部１２１と、放射板部１２１の先端部に設けられた係止円弧部１２２と、を有する。
【００４８】
放射板部１２１は、フランジ管６０の軸方向及び径方向に広がる板状に形成される。放射板部１２１は、所定の軸方向の長さで、径方向に所定の長さで延びる。本実施形態においては、２つの放射板部１２１は、フランジ管６０の径方向において、中心固定筒１１０を挟んで、直線上に配置される。
【００４９】
係止円弧部１２２は、放射板部１２１における中心固定筒１１０と反対側の端部に接続される。係止円弧部１２２は、フランジ管６０の内面に沿う形状に形成される。係止円弧部１２２は、玉鎖固定部材１０がフランジ管６０に取り付けられた場合には、フランジ管６０の内面に当接する。
【００５０】
係止円弧部１２２は、第１係止部１２３と、第２係止部１２４と、を有する。
第１係止部１２３は、係止円弧部１２２におけるフランジ管ネジ部６２１の側の端部に設けられる。係止円弧部１２２は、第１係止部１２３の側において、フランジ管６０の径方向の内側に弾性変形可能である。
【００５１】
第１係止部１２３は、フランジ管６０の径方向の外側に突出する。第１係止部１２３は、玉鎖固定部材１０がフランジ部６１の側からフランジ管６０の内部に挿入された場合に、フランジ管６０のフランジ管ネジ部６２１の側の端部に係止される。
【００５２】
第２係止部１２４は、係止円弧部１２２におけるフランジ部６１の側の端部に設けられる。第２係止部１２４は、フランジ管６０の径方向の外側に突出する。第２係止部１２４は、玉鎖固定部材１０がフランジ部６１の側からフランジ管６０の内部に挿入された場合に、玉鎖固定部材１０がフランジ管６０の奥側へ入り過ぎないように、フランジ管６０の内面の段差部分に係止される。
【００５３】
玉鎖固定部材１０をフランジ管６０の内部に取り付ける場合には、玉鎖部材１５の他端部を玉鎖固定部材１０の中心固定筒１１０に挿入して、玉鎖固定ピン１３０により、玉鎖部材１５を玉鎖固定部材１０に固定（接続）する。
【００５４】
そして、玉鎖部材１５を玉鎖固定部材１０に固定した状態で、玉鎖固定部材１０をフランジ管６０のフランジ部６１の側から挿入する。これにより、玉鎖固定部材１０の２つの放射状部材１２０の係止円弧部１２２が、フランジ管６０の内面に当接して、フランジ管６０の径方向の内側に弾性変形する。続けて、玉鎖固定部材１０をフランジ管６０に挿入すると、第１係止部１２３がフランジ管６０のフランジ管ネジ部６２１の側の端部から突出した時点で、玉鎖固定部材１０の２つの放射状部材１２０の係止円弧部１２２が弾性力によりフランジ管６０の径方向の外側に広がるように復帰する。これにより、第１係止部１２３は、フランジ管６０のフランジ管ネジ部６２１の側の端部に係止される。係止円弧部１２２の第２係止部１２４は、フランジ管６０の内面の段差部分に係止される。
【００５５】
この状態で、図４に示すように、フランジ管６０の筒状部６２をボウル部３１の内面側からオーバーフロー孔４２に挿入して、フランジ部６１を、ボウル部３１の内面に当接させる。その後、ボウル部３１の外面側において、フランジ管６０の筒状部６２の外面のフランジ管ネジ部６２１に、オーバーフロー管６の上部Ｌ字管６３の内面の上部Ｌ字管ネジ部６３ａを螺合して、上部Ｌ字管６３の内部に、フランジ管６０の筒状部６２を進入させる。その結果、玉鎖部材１５と玉鎖固定部材１０との接続部分は、オーバーフロー管６の内部に位置する。
【００５６】
よって、玉鎖部材１５が接続される玉鎖固定部材１０は、オーバーフロー孔４２の内部において、フランジ管６０に固定される。そのため、玉鎖部材１５の他端部（玉鎖部材１５における排水栓９が接続される一端部と反対側の端部）と玉鎖固定部材１０との接続部分は、オーバーフロー孔４２の内部に位置する。従って、玉鎖部材１５の接続部分が外部から視認しにくく、意匠性を向上させることができる。
【００５７】
また、玉鎖部材１５と玉鎖固定部材１０との接続部分は、オーバーフロー管６の内部に位置する。そのため、玉鎖部材１５と玉鎖固定部材１０との接続部分は、オーバーフロー孔４２の内部の一層奥側に位置することになる。従って、玉鎖部材１５の接続部分が外部から視認しにくく、意匠性を向上させることができる。
【００５８】
玉鎖固定部材１０は、２つの放射板部１２１によりフランジ管６０の内部の一部を塞いでいるため、オーバーフロー孔４２に侵入する異物を捕捉する機能を有する。これにより、オーバーフロー孔４２への異物の侵入を抑制することができる。
【００５９】
玉鎖固定部材１０をフランジ管６０の内部から取り外す場合には、フランジ管６０を洗面器３のボウル部３１から取り外す。そして、玉鎖固定部材１０がフランジ管６０の内部に取り付けられた状態において、玉鎖固定部材１０の２つの放射状部材１２０の係止円弧部１２２の第１係止部１２３をフランジ管６０の径方向の内側に押圧することで、係止円弧部１２２をフランジ管６０の径方向の内側に弾性変形させる。続けて、玉鎖固定部材１０をフランジ管６０のフランジ部６１の側から引き抜く。これにより、玉鎖固定部材１０をフランジ管６０の内部から取り外すことができる。
【００６０】
以上説明した本実施形態の排水栓９に接続される鎖部材１５の接続構造によれば、以下のような効果を奏する。
本実施形態の排水栓９に接続される鎖部材１５の接続構造は、洗面器３のボウル部３１のオーバーフロー孔４２において洗面器３のボウル部３１とオーバーフロー管６とを接続するフランジ管６０と、フランジ管６０に固定される玉鎖固定部材１０と、洗面器３のボウル部３１の排水口４１を塞ぐ排水栓９に接続される玉鎖部材１５と、を備え、玉鎖固定部材１０は、オーバーフロー孔４２の内部において、フランジ管６０に固定され、玉鎖部材１５は、玉鎖固定部材１０に接続される。
そのため、玉鎖部材１５と玉鎖固定部材１０との接続部分は、オーバーフロー孔４２の内部に配置される。従って、玉鎖部材１５と玉鎖固定部材１０との接続部分が外部から視認しにくく、意匠性を向上させることができる。
【００６１】
また、本実施形態においては、フランジ管６０は、洗面器３のボウル部３１内面側に位置するフランジ部６１と、洗面器３のボウル部３１の外面側においてオーバーフロー管６に接続されると共に玉鎖固定部材１０が固定される筒状部６２と、を有し、玉鎖部材１５と玉鎖固定部材１０との接続部分は、オーバーフロー管６の内部に位置する。そのため、玉鎖部材１５と玉鎖固定部材１０との接続部分は、オーバーフロー孔４２の内部の一層奥側に位置することになる。そのため、オーバーフロー孔４２において、玉鎖部材１５と玉鎖固定部材１０との接続部分は一層視認しにくい。よって、意匠性を向上させることができる。
【００６２】
また、本実施形態においては、玉鎖固定部材１０は、オーバーフロー孔４２に侵入する異物を捕捉する機能を有する。そのため、オーバーフロー孔４２への異物の侵入を抑制することができる。
【００６３】
次に、本発明の排水栓に接続される鎖部材の接続構造の第２実施形態について、図面を参照しながら説明する。なお、他の実施形態の説明にあたって、第１実施形態と同一の構成要件については同一の符号を付し、その説明を省略又は簡略化する。図８は、第２実施形態の玉鎖固定部材１０Ａの構成を説明する斜視図である。図９は、第２実施形態の玉鎖固定部材１０Ａの構成を説明する分解斜視図である。図１０は、第２実施形態の玉鎖固定部材１０Ａの構成を説明する断面図である。
【００６４】
第２実施形態は、第１実施形態ではフランジ管６０と玉鎖固定部材１０とが別体であるのに対して、フランジ管６０Ａと玉鎖固定部材１０Ａとが一体に成形されている点、及び、第１実施形態では放射状部材１２０の数が２つであるのに対して、放射状部材２２０の数が３つである点において、第１実施形態と主に異なる。
【００６５】
第２実施形態の排水栓９に接続される鎖部材１５の接続構造は、図８〜図１０に示すように、フランジ管６０Ａと、玉鎖固定部材１０Ａと、を備える。本実施形態に係る排水栓９に接続される鎖部材１５の接続構造においては、フランジ管６０Ａと、玉鎖固定部材１０Ａとは、一体に成形される。
【００６６】
玉鎖固定部材１０Ａは、筒状の中心固定筒２１０と、３つの放射状部材２２０と、玉鎖固定ピン２３０と、を有する。本実施形態においては、中心固定筒２１０と３つの放射状部材２２０とは、一体に成形される。
【００６７】
中心固定筒２１０は、一端側が閉じられた筒状に形成される。中心固定筒２１０は、フランジ管６０Ａの軸上に延びている。中心固定筒２１０は、フランジ管６０Ａのフランジ管ネジ部６２１側の端部から、フランジ管６０Ａの軸上に沿って突出するように、フランジ管６０Ａの外側に延出している。
【００６８】
中心固定筒２１０の内部には、玉鎖部材１５の他端部（玉鎖部材１５における排水栓９が接続される一端部と反対側の端部）が挿入される。中心固定筒２１０のフランジ管６０Ａの外側に延出する部分の側部には、玉鎖固定ピン２３０が挿入されるピン挿入孔２１１が形成される。
【００６９】
玉鎖固定ピン２３０は、第１実施形態の玉鎖固定ピン２３０の構成と同様に、Ｕ字状に形成される。玉鎖固定ピン２３０は、中心固定筒２１０に挿入された玉鎖部材１５を固定する。玉鎖部材１５の他端部が中心固定筒２１０に挿入された状態で、玉鎖固定ピン２３０をピン挿入孔２１１に挿入することで、玉鎖部材１５の玉と玉とをつなぐ細管部材をＵ字状の内側に配置させて、玉鎖部材１５を中心固定筒２１０に接続する。
【００７０】
３つの放射状部材２２０は、中心固定筒２１０の外面から放射状に突出する。放射状部材２２０は、フランジ管６０Ａの軸方向及び径方向に広がる板状に形成される。放射板部１２１は、所定の軸方向の長さで、径方向に延びる。３つの放射状部材２２０は、一端部が中心固定筒２１０の外面に固定されると共に、他端部がフランジ管６０Ａの内面に固定される。本実施形態においては、３つの放射状部材２２０は、周方向において、１２０°程度離間して配置されている。
【００７１】
玉鎖固定部材１０Ａは、３つの放射状部材２２０によりフランジ管６０Ａの内部の一部を塞いでいるため、オーバーフロー孔４２に侵入する異物を捕捉する機能を有する。これにより、オーバーフロー孔４２への異物の侵入を抑制することができる。
【００７２】
第２実施形態の本発明の排水栓９に接続される鎖部材１５の接続構造によれば、上述した第１実施形態と同様の効果を奏する他、例えば、以下のような効果を奏する。
第２実施形態によれば、フランジ管６０Ａと玉鎖固定部材１０Ａとが一体に成形されている。そのため、部材の数が少ないため、製造コストを低減できる。また、部材が組み合わさる部分を少なくできるため、清掃性を向上できる。
【００７３】
以上、本発明の排水栓９に接続される鎖部材１５の接続構造の好ましい一実施形態について説明したが、本発明は、上述した実施形態に制限されるものではなく、適宜変更が可能である。
例えば、前記第１実施形態では、玉鎖固定部材１０の放射状部材１２０を２つとした。また、前記第２実施形態では、玉鎖固定部材１０Ａの放射状部材２２０を３つとした。しかし、放射状部材１２０，２２０の数は、これらに限られない。例えば、第１実施形態の放射状部材１２０の数を１つ又は３つ以上としてもよいし、第２実施形態の放射状部材２２０の数を１つ、２つ又は４つ以上としてもよい。
【００７４】
また、前記実施形態では、玉鎖固定部材１０，１０Ａにおける複数の放射状部材１２０，２２０により、オーバーフロー孔４２に侵入する異物を捕捉する機能を備えるように構成したが、これに限られない。例えば、玉鎖固定部材を多重筒により構成して、多重筒により、オーバーフロー孔４２に侵入する異物を捕捉する機能を備えるように構成してもよい。
【００７５】
また、前記実施形態では、玉鎖固定部材１０，１０Ａの中心固定筒１１０，２１０を、フランジ管６０，６０Ａの軸上に延びるように配置したが、これに限らない。例えば、中心固定筒１１０，２１０を、フランジ管の内面に沿って延びるように配置してもよい。
【符号の説明】
【００７６】
３  洗面器
９  排水栓
１０  玉鎖固定部材（固定部材）
１５  玉鎖部材（鎖部材）
３１  ボウル部（洗面ボウル）
４１  排水口
４２  オーバーフロー孔
６０，６０Ａ  フランジ管（接続部材）
６１  フランジ部
６２  筒状部
【図１】
2016097082.tif 000003
【図２】
2016097082.tif 000004
【図３】
2016097082.tif 000005
【図４】
2016097082.tif 000006
【図５】
2016097082.tif 000007
【図６】
2016097082.tif 000008
【図７】
2016097082.tif 000009
【図８】
2016097082.tif 000010
【図９】
2016097082.tif 000011
【図１０】
2016097082.tif 000012